(57)【要約】      （修正有）【課題】簡単に直線での切断作業が可能な作業補助用の定規型プレートを提供する。【解決手段】作業補助用の定規型プレートを、少なくとも一つ側縁を直線とした当接縁を有すると共に底面有する基板プレートと、該基板プレートの上面に立設させた把持部材と、該基板プレートの前記当接縁の長さ方向に沿って若干の間隙を有して並設させた補助プレートとで構成し、補助プレートを前記基板プレートの当接縁の両端部の側縁から延設させた支持具により固定させたものである。補助プレートを基板プレートの間の間隙を利用して直線のブレがなく円滑な作業を行うことが可能である。【選択図】図１
0003107576.tif 000002
【実用新案登録請求の範囲】
【請求項１】
少なくとも一つ側縁を直線とした当接縁を有すると共に底面を有する基板プレートと、該基板プレートの上面に立設させた把持部材と、該基板プレートの前記当接縁の長さ方向に沿って若干の間隙を有して並設させた補助プレートから成り、該補助プレートは前記基板プレートの当接縁の両端部の側縁から延設させた支持具により固定されていることを特徴とする作業補助用の定規型プレート。
【請求項２】
前記支持具が前記基板プレートに対して強固に固定されていて且つ補助プレートの材質より硬質な板状部材であると共に、前記支持具により支持される補助プレートが締付力を調整できる固定具により固定されており、該固定具の調整により前記補助プレートが長さ方向に湾曲して補助プレートの中央辺の一部が基板プレートに押付られることを特徴とする請求項１に記載の作業補助用の定規型プレート。
【請求項３】
前記基板プレートの底面の中央辺が把持部材側の上方向に湾曲して形成されており、基板プレートを上方向から押し付けることで平坦面となることを特徴とする請求項１または請求項２に記載の作業補助用の定規型プレート。
【請求項４】
前記把持部材が長さを有する棒状部材であり且つ該把持部材の両端部が一定の間隔で基板プレートに対して強固に固定されると共に、該把持部材の中央辺へ基板プレートとの相対的な間隔を調整できる調整部材を設け、該調整部材により基板プレートの底面の中央辺が把持部材側の上方向に湾曲することを特徴とする請求項３記載の作業補助用の定規型プレート。
【請求項５】
前記基板プレートまたは補助プレートが透明な部材で形成されていることを特徴とする請求項１乃至請求項４記載の作業補助用の定規型プレート。
【考案の詳細な説明】
【技術分野】
【０００１】本考案は、内装材の切断作業等に用いられる作業補助用の定規型プレートに係る考案であり、詳細には、壁面などで使用する場合に、安定して直線の切断作業が可能な作業補助用の定規型プレートに関する。
【背景技術】
【０００２】  従来より、木・金属・プラスチック製の各種の定規が知られているが、一般に知られている多くの定規は、単に平らな板面のみで形成されていた。そして、例えば、これを内装シート等のカッターなどによる切断作業に使用する際には、定規を内装シートに当てて、鉛直な側縁をガイドとして切断作業を行っていた。
【考案が解決しようとする課題】
【０００３】  ところが、床面等の水平面での作業にはあまり支障がないものの、壁面等で直接作業を行う場合は、定規を安定して当てておくことは熟練を必要とするものであって、作業に不慣れな初心者や未熟な作業者の場合には、切断作業の過程で定規自体がずれたり、カッター刃が側縁から離れたりして、綺麗な直線での切断がうまくできない等の問題があった。
【０００４】  そこで、本考案は、熟練者は勿論のこと、熟練者でなくても簡単に直線での切断作業が可能な作業補助用の定規型プレートを提供することを目的としたものである。また、この考案で開示された作業補助用の定規型プレートはすみ出し等の引き線作業にも応用が可能であることは言うまでもない。
【課題を解決するための手段】
【０００５】  本考案は、上記の課題を解決するために、作業補助用の定規型プレートを、少なくとも一つ側縁を直線とした当接縁を有すると共に底面有する基板プレートと、該基板プレートの上面に立設させた把持部材と、該基板プレートの前記当接縁の長さ方向に沿って若干の間隙を有して並設させた補助プレートとで構成し、補助プレートを前記基板プレートの当接縁の両端部の側縁から延設させた支持具により固定させたものである。
【０００６】  上記の構成によれば、補助プレートを基板プレートの間の間隙を利用して直線のブレがなく円滑な作業を行うことが可能である。
【０００７】  また、本考案の他の構成では、支持具が基板プレートに対して強固に固定されていて且つ補助プレートの材質より硬質な板状部材であると共に、支持具により支持される補助プレートが締付力を調整できる固定具により固定している。これにより、固定具の調整により補助プレートが長さ方向に湾曲して補助プレートの中央辺の一部が基板プレートに押付られるため、カッター刃が最もブレやすい中央辺で確りと直線状態で保持されるので、より安定した作業が可能となった。
【０００８】  また、本考案に係わる作業補助用の定規型プレートは、基板プレートの底面の中央辺が把持部材側の上方向に湾曲して形成されており、基板プレートを上方向から押し付けることで平坦面となるため、被切断部材である内装シートに対して本考案に係わる作業補助用の定規型プレートが確りと位置決めできる。
【０００９】  更に、本考案では、上記の構成のみでは、経時の使用により基板プレートが塑性変形して平坦化することを懸念して、使用形態に併せて湾曲状態を調整できる構造を設けている。これは、把持部材を長さを有する棒状部材で形成し、且つ該把持部材の両端部が一定の間隔で基板プレートに対して強固に固定し、該把持部材の中央辺へ基板プレートとの相対的な間隔を調整できる調整部材を設け、該調整部材により基板プレートの底面の中央辺が把持部材側の上方向に湾曲するよう構成したことにより実現したものである。
【実施例】
【００１０】  以下、本考案の作業補助用の定規型プレートの実施の形態を添付する図面により説明をする。
図１は、本考案の作業補助用の定規型プレートの上面図であり、図２は、本考案の作業補助用の定規型プレートの底面図であり、図３は、本考案の作業補助用の定規型プレートにおける補助プレートと基板プレートとの相対関係を説明するためのやや誇張した概要説明図であり、図４は、本考案の作業補助用の定規型プレートの側面図であり、図５は、本考案の作業補助用の定規型プレートの図４における断面図であり、図６は、本考案の作業補助用の定規型プレートにおける基板プレートの湾曲状態を示す説明図であり、図７は、図６における断面図である。【００１１】  本考案は、内装材の切断作業等に用いられる作業補助用の定規型プレートに係る考案であり、詳細には、壁面などで使用する場合に、安定して直線の切断作業が可能な作業補助用の定規型プレートに関するものである。【００１２】  図１に図示の如く、本考案の定規型プレートは、少なくとも一つ側縁を直線とした当接縁１ａを有すると共に底面を有する、木製等の厚みを有した基板プレート１と、該基板プレート１の上面に立設させた棒状の把持部材２と、前記基板プレート１の当接縁１ａの長さ方向に沿って若干の間隙Ｇを有して並設させた補助プレート３とで構成している。【００１３】  前記補助プレート３は、基板プレート１の当接縁１ａの両端部の側縁から延設させた板状の金具等から成る支持具４により、後述する固定具５により固定されている。【００１４】  上記の如く構成された定規型プレートは、補助プレート３と基板プレート１との間に沿って間隙Ｇが形成されているので、これを内装シートの切断作業に使用する場合は、この間隙Ｇに対してカッター刃を挿入することで略直線のブレがなく円滑な切断作業を行うことが可能である。【００１５】  また、前記支持具４は、基板プレート１の側面に対して、螺子等の固定部材５３により安定的に且つ強固に固定されており、また、補助プレート３の材質より硬質な板状部材で形成されている。図示の例においては、補助プレート３はアクリル等の透明なプラスチック材料で形成されていて、一方、基板プレート１は木製の板として形成されている。尚、前記補助プレート３が透明であることにより、下地となる内装シート等の状態が観察できるので、位置決め作業が容易であるが、この機能は、材質の選択により基板プレートを透明にすることでも実現が可能である。【００１６】  図３に図示の如く、前記支持具４により支持される補助プレート３は、締付力を調整できる固定具５、実施例では、より詳細には、２つの螺子から構成された固定具５１、５２により固定されている。前述の如く、支持具４は基板プレート１に対して確りと固定されていて、これを一方向に延長して補助プレート３を支持している状態となっていることから、例えば、固定具５１、５２の内、固定具５２のみを締め付けて調整することにより、補助プレート３は長さ方向に湾曲して、補助プレート３の中央辺の一部が基板プレート１に対して押付られるため、カッター刃が最もブレやすい中央辺で確りと直線状態で保持されるので、より安定した作業が可能となるものである。【００１７】  また、本考案に係わる作業補助用の定規型プレートは、図６、図７に図示の如く、基板プレート１の底面の中���辺が把持部材２側の上方向に湾曲して形成されており、基板プレート１を上方向から押し付けることで平坦面となるため、被切断部材である内装シートに対して本考案に係わる作業補助用の定規型プレートが確りと位置決めできるものとなっている。【００１８】  より、詳細には、把持部材２を長さを有する棒状部材で形成し、且つ該把持部材２の両端部が一定の間隔となるようスペーサ７、７を介して基板プレート１に対して強固に固定し、該把持部材２の中央辺へ基板プレート１との相対的な間隔を調整できる調整部材６を設けている。図示の例では、この調整部材６は、図５で示される如く、基板プレート１の底面から基板プレート１を貫通させると共に把持部材２に向けて螺着させた螺子部材であり、螺子溝を外観上保護するために、ゴム製のチューブ８等で被覆したものである。【００１９】  本考案は係る構成により、図７に図示の如く、前記調整部材６を締め付けることで、基板プレート１の底面の中央辺が把持部材２側の上方向に湾曲するよう構成したことにより、単に基板プレート１を湾曲形成したものと比較して、経時の使用により基板プレートが塑性変形して平坦化することがなく、使用形態に併せて湾曲状態を調整できる構造としたものである。【００２０】  本考案の作業補助用の定規型プレートを用いて、内装シートの切断作業を行うに際しては、定規型プレートの把持部材２を手で持ち乍ら、強く押し付けて位置決めし、前述の間隙Ｇに沿ってカッター刃を挿入して直線状態での切断を行う。この際、安定した位置決めができていることから、極めて効率のよい作業が出来る。
【考案の効果】
【００２１】  本考案は、前述の如く構成したものであり、作業技術の熟練度を要することなく、正確で且つ安定した作業が可能である。また、本考案の作業補助用の定規型プレートは、隅だし等の直線を必要とする各種の作業においても有効である。
【図面の簡単な説明】
【００２２】
【図１】本考案の作業補助用の定規型プレートの上面図である。
【図２】本考案の作業補助用の定規型プレートの底面図である。
【図３】本考案の作業補助用の定規型プレートにおける補助プレートと基板プレートとの相対関係を説明するためのやや誇張した概要説明図である。
【図４】本考案の作業補助用の定規型プレートの側面図である。
【図５】本考案の作業補助用の定規型プレートの図４における断面図である。
【図６】本考案の作業補助用の定規型プレートにおける基板プレートの湾曲状態を示す説明図である。
【図７】図６における断面図である。
【符号の説明】
【００２３】Ｇ    間隙
１    基板プレート
１ａ  当接縁
２    把持部材
３    補助プレート
４    支持具
５    固定具
５１  固定具
５２  固定具
５３  固定具
６    調整部材
７    スペーサ
８    チューブ
【図１】
0003107576.tif 000003
【図２】
0003107576.tif 000004
【図３】
0003107576.tif 000005
【図４】
0003107576.tif 000006
【図５】
0003107576.tif 000007
【図６】
0003107576.tif 000008
【図７】
0003107576.tif 000009